(57)【要約】【課題】  高精度での粘性流体の塗布量制御を可能にする簡素な構造の粘性流体供給装置及びその固化防止方法を提供する。【解決手段】  粘性流体を内部に保持するカートリッジ３３０と、ピストン３３４を介してカートリッジ３３０内の粘性流体に大気圧よりも大きい圧力の圧縮空気を供給するエアー供給源３３２と、カートリッジ３３０をエアー供給源３３２に連通させるか、あるいはカートリッジ３３０を大気に連通させる切替えバルブ３３１と、カートリッジ３３０内部に配設され、カートリッジ３３０内周面に付着した粘性流体を掻き落とすピストン３３４とを備え、切替えバルブ３３１は、塗布動作を行っていない時間が所定の時間を超えた時に、所定の間隔で切替えを繰り返す。【選択図】        図３
2006021160.tif 000002
【特許請求の範囲】
【請求項１】
被塗布体に粘性流体を塗布する塗布ヘッドに粘性流体を供給する粘性流体供給装置であって、
粘性流体を保持する筒状のタンクと、
前記タンクに保持された粘性流体の液面を覆い、前記タンク内で上下動するピストンと、
前記タンク内における前記ピストンよりも上方の空間にエアーを供給するエアー供給手段とを備え、
前記エアー供給手段は、前記塗布動作を行っていない時間が所定の時間を超えた時に、前記エアーの供給圧力を変化させる
ことを特徴とする粘性流体供給装置。
【請求項２】
前記エアー供給手段は、前記塗布動作を行っていない時間が所定の時間を超えた時に、前記エアーの供給圧力の上昇・下降を繰り返す
ことを特徴とする請求項１記載の粘性流体供給装置。
【請求項３】
前記エアー供給手段は、前記塗布動作を行っていない時間が所定の時間を超えた時に、
前記空間に大気圧よりも大きい供給圧力でエアーを供給することと、供給したエアーを大気に開放することとを交互に繰り返す
ことを特徴とする請求項２記載の粘性流体供給装置。
【請求項４】
前記タンクおよび前記ピストンの少なくとも一方が弾性部材からなる
ことを特徴とする請求項１記載の粘性流体供給装置。
【請求項５】
前記ピストンは、側面が前記タンクの内周面に接する筒体であり、上下動に伴って、前記タンクの内周面に付着した粘性流体を掻き落とす
ことを特徴とする請求項１記載の粘性流体供給装置。
【請求項６】
前記粘性流体供給装置はさらに、
前記タンクから供給された粘性流体を前記塗布ヘッドに導く配管と、
前記配管の途中において粘性流体の供給をオン／オフするコックとを備える
ことを特徴とする請求項１記載の粘性流体供給装置。
【請求項７】
被塗布体に粘性流体を塗布する塗布ヘッドに供給する粘性流体の固化防止方法であって、
前記塗布動作を行っていない時間が所定の時間を超えた時に、粘性流体を保持するタンク内のエアーが満たされた空間に、上昇・下降を繰り返す供給圧力でエアーを供給する
ことを特徴とする粘性流体の固化防止方法。
【請求項８】
被塗布体に粘性流体を塗布する塗布ヘッドに供給する粘性流体供給装置のためのプログ
ラムであって、
前記塗布動作を行っていない時間が所定の時間を超えたことを検出するステップと、
前記塗布動作を行っていない時間が所定の時間を超えたことが検出されると、粘性流体を保持するタンク内のエアーが満たされた空間に、上昇・下降を繰り返す供給圧力でエアーを供給するようにエアー供給手段を制御するステップとをコンピュータに実行させるプログラム。
【発明の詳細な説明】
【技術分野】
【０００１】
本発明は、粘性流体塗布装置及びその固化防止方法に関し、特に粘性流体を保持し、塗布ヘッドに供給する粘性流体供給装置及びその固化防止方法に関するものである。
【背景技術】
【０００２】
従来から、半導体パッケージの製造における、アンダーフィル接着剤、フラックス及び封止剤等の粘性流体の基板及び半導体チップへの塗布は、半導体パッケージの製造で広く利用されている一般的な粘性流体塗布装置により行われる。この塗布は、塗布ヘッドにより行われ、搬送手段により作業位置まで搬送されてきた基板に、粘性流体を塗布することにより行われる。
【０００３】
ところで、粘性流体塗布装置には、基板等への粘性流体の塗布量のばらつきを防ぐため、高い精度で粘性流体の塗布量を制御することが要求される。このような要求に対応する先行技術として、特許文献１に記載のペースト供給装置がある。これは、粘性流体を保持し、粘性流体を塗布ヘッドに供給する粘性流体供給装置に関するものである。図８は、この粘性流体供給装置の構造を示す断面図である。
【０００４】
図９に示されるように、粘性流体供給装置は、粘性流体が保持される容器８００と、容器８００内に配設されたスクリュー部８１０と、スクリュー部８１０を駆動させる駆動モータ８２０とを有する。このような構造を有する粘性流体供給装置は、粘性流体の供給を行う場合には、粘性流体が供給口８３０に導かれるように所定の方向にスクリュー部８１０を回転させ、粘性流体の供給を行わない場合には、前記所定の方向とは逆方向にスクリュー部８１０を回転させて容器８００内の粘性流体の粘度を制御する。よって、粘性流体の供給を行わない場合でも、容器内の粘性流体の粘度が大きく変化せず、良好な粘度を維持することができるので、粘性流体供給装置は、高精度での粘性流体の塗布量制御を可能にする。
【特許文献１】特開平４−３４７６３８号公報
【発明の開示】
【発明が解決しようとする課題】
【０００５】
しかしながら、特許文献１に記載の粘性流体供給装置では、容器内にスクリュー部、駆動モータ及びそれらを保持する部材を新たに設けなければならないため、容器の構造が複雑化し、装置の大型化及びコスト上昇という新たな問題が生じる。
【０００６】
そこで、本発明は、かかる問題点に鑑み、高精度での粘性流体の塗布量制御を可能にする簡素な構造の粘性流体供給装置及びその固化防止方法を提供することを目的とする。
【課題を解決するための手段】
【０００７】
上記目的を達成するために、本発明の粘性流体供給装置は、被塗布体に粘性流体を塗布する塗布ヘッドに粘性流体を供給する粘性流体供給装置であって、粘性流体を保持する筒状のタンクと、前記タンクに保持された粘性流体の液面を覆い、前記タンク内で上下動するピストンと、前記タンク内における前記ピストンよりも上方の空間にエアーを供給するエアー供給手段とを備え、前記エアー供給手段は、前記塗布動作を行っていない時間が所定の時間を超えた時に、前記エアーの供給圧力を変化させることを特徴とする。
ここで、前記タンクおよび前記ピストンの少なくとも一方が弾性部材からなってもよいし、前記粘性流体供給装置はさらに、前記タンクから供給された粘性流体を前記塗布ヘッドに導く配管と、前記配管の途中において粘性流体の供給をオン／オフするコックとを備えてもよい。
【０００８】
これによって、塗布ヘッドが塗布動作を行っていない場合でも、タンク内の粘性流体に動きが与えられるので、タンク内の粘性流体の粘度上昇が防止される。また、本発明の粘性流体供給装置は、図９の粘性流体供給装置よりも単純な構造を有する。よって、高精度での粘性流体の塗布量制御を可能にする簡素な構造の粘性流体供給装置を実現することができる。
【０００９】
また、前記エアー供給手段は、前記塗布動作を行っていない時間が所定の時間を超えた時に、前記エアーの供給圧力の上昇・下降を繰り返してもよいし、前記エアー供給手段は、前記塗布動作を行っていない時間が所定の時間を超えた時に、前記空間に大気圧よりも大きい供給圧力でエアーを供給することと、供給したエアーを大気に開放することとを交互に繰り返してもよい。
【００１０】
これによって、タンクへのエアーの供給と停止との単なる繰り返しで、粘性流体の粘度上昇が防止されるので、更に簡素な構造の粘性流体供給装置を実現することができる。
また、前記ピストンは、側面が前記タンクの内周面に接する筒体であり、上下動に伴って、前記タンクの内周面に付着した粘性流体を掻き落としてもよい。
【００１１】
これによって、タンクの内周面に付着した粘性流体がピストンにより掻き落とされるので、タンク内の粘性流体を塗布ヘッドに確実に供給する粘性流体供給装置を実現することができる。
【発明の効果】
【００１２】
本発明に係る粘性流体供給装置及びその固化防止方法によれば、タンク内に新たな部材を設けたり、タンクの構造を変更したりすることなく、タンクに送るエアーの供給を電磁弁で制御的にオン／オフするだけで、タンク内の粘性流体の粘度上昇を防止することができるので、高精度での粘性流体の塗布量制御を可能にする簡素な構造の粘性流体供給装置及びその固化防止方法を実現することができる。つまり、高精度での粘性流体の塗布量制御を可能にする、小型で低コストの粘性流体供給装置及びその固化防止方法を実現することができる。
【００１３】
よって、本発明により、粘性流体の塗布量を高い精度で制御することができる簡素な構造の粘性流体塗布装置を提供することが可能となり、実用的価値は極めて高い。
【発明を実施するための最良の形態】
【００１４】
以下、本発明の実施の形態における粘性流体供給装置について、図面を参照しながら説明する。
図１は、本実施の形態の粘性流体供給装置を含んで構成される粘性流体塗布装置の外観図であり、図２は、同粘性流体塗布装置の構造を説明するための図である。
【００１５】
本実施の形態の粘性流体塗布装置は、被塗付体である基板１４０ａに粘性流体を塗布する塗布ヘッド１００と、粘性流体を塗布ヘッド１００に供給する粘性流体供給装置１０２と、第１の軸方向への塗布ヘッド１００の移動位置決めを行う第１軸部１１０（例えばＸ軸部）と、第１の軸方向と直交する第２の軸方向への塗布ヘッド１００及び粘性流体供給装置１０２の移動位置決めを行う第２軸部１２０（例えばＹ軸部）と、第１の軸方向と第２の軸方向とで形成される平面に直交する第３の軸方向への塗布ヘッド１００の移動位置決めを行う第３軸部１３０（例えばＺ軸部）と、第１の軸方向と第２の軸方向とで形成される平面の所定の位置まで基板１４０ａを搬送する基板搬送部１４０と、塗布ヘッド１００の高さを検出するヘッド高さ検出センサー１５０と、第１軸部１１０、第２軸部１２０及び第３軸部１３０の移動動作制御、及び塗布ヘッド１００の塗布動作制御を行う制御部１６０と、基板搬送部１４０により基板１４０ａが所定の位置に搬送されたことを検出する基板検出センサー（図外）とを備える。
【００１６】
なお、これ以降は、例えば第１の軸方向をＸ方向、第２の軸方向をＹ方向、第３の軸方向をＺ方向、第１軸部をＸ軸部、第２軸部をＹ軸部、第３軸部をＺ軸部と呼ぶ。ただし、これに限定することはない。
【００１７】
図３は、塗布ヘッド１００及び粘性流体供給装置１０２の構造を説明するための図である。
塗布ヘッド１００は、粘性流体を吐出するノズル３１０と吐出用シャフト３２０とを有し、Ｘ方向、Ｙ方向、Ｚ方向に移動可能である。
【００１８】
粘性流体供給装置１０２は、粘性流体を保持し、且つ、交換可能なカートリッジ３３０と、切替えバルブ３３１と、エアー供給源３３２と、カートリッジ３３０の粘性流体を塗布ヘッド１００に導く供給配管３４０とを有し、Ｙ方向に移動可能である。ここで、切替えバルブ３３１及びエアー供給源３３２は、エアー供給手段を構成する。
【００１９】
ここで、Ｘ軸部１１０に取り付けられている塗布ヘッド１００がＹ方向へ移動する際は、そのＸ軸部１１０の一旦、に固定されている粘性流体供給装置１０２も、Ｘ軸部１１０の移動に連動して塗布ヘッド１００と共にＹ方向に移動し、塗布ヘッド１００がＸ方向、Ｚ方向へ移動する際は、粘性流体供給装置１０２は塗布ヘッド１００の動きとは無関係に静止している。
【００２０】
吐出用シャフト３２０は、ノズル３１０の軸方向に沿って軸回り方向に回転可能な状態で塗布ヘッド１００内部に配設されている。吐出用シャフト３２０の一旦、には、スクリュー部３２１が形成されており、スクリュー部３２１が形成されている側の空洞部内に粘性流体が供給配管３４０から導かれてくる。スクリュー部３２１は、吐出用シャフト３２０の回転に従って粘性流体を移送し、ノズル３１０から粘性流体を吐出させる。ノズル３１０から粘性流体を吐出させる時には、スクリューの回転による押圧力を利用する。
【００２１】
供給配管３４０の塗布ヘッド１００近傍側には、開閉によりカートリッジ３３０の粘性流体を塗布ヘッド１００に導くか否かを決定し、粘性流体の供給をオン／オフする供給コック３４１が接続されている。
【００２２】
カートリッジ３３０は、Ｙ方向に移動可能な状態で粘性流体塗布装置の端部に配設された筒状で大容量（例えば６００ｃｃ）のタンクである。
カートリッジ３３０内には、カートリッジ３３０内の粘性流体の液面を覆い、カートリッジ３３０内で上下動する筒体であるピストン３３４が配設される。ピストン３３４の側面はカートリッジ３３０の内周面と接し、カートリッジ３３０の内周面に沿って移動するため、カートリッジ３３０の内周面に付着する粘性流体はピストン３３４により掻き落とされる。ここで、ピストン３３４はプラスチック等からなる弾性部材であり、ピストン３３４の形状は、圧縮空気と粘性流体とに挟まれて外周面に加えられる力に応じて変化する。ただし、このピストン３３４は必ずしも弾性部材である必要はない。
【００２３】
カートリッジ３３０内のピストン３３４上方の空間には、一定圧力の圧縮空気が供給され、圧縮空気は供給配管３４０に押し出す力をカートリッジ３３０内の粘性流体に加える。ここで、カートリッジ３３０は、ポリプロピレンあるいはエチレン等からなる弾性部材であり、カートリッジ３３０の内容積は、圧縮空気により内周面に加えられる力に応じて変化する。ただし、このカートリッジ３３０は必ずしも弾性部材である必要はない。更に、ピストン３３４とカートリッジ３３０は少なくとも一方が弾性部材であっても、両方が弾性部材であっても、もしくは両方が弾性部材でなくてもよい。
【００２４】
切替えバルブ３３１は、制御部１６０からの制御信号により動作され、カートリッジ３３０をエアー供給源３３２に連通させて大気圧よりも大きい圧力の圧縮空気を、ピストン３３４を通じてカートリッジ３３０内の粘性流体に供給させるか、あるいはカートリッジ３３０を大気に連通させて大気圧と同等の圧力の圧縮空気を、ピストン３３４を通じてカートリッジ３３０内の粘性流体に供給させる。ここで、圧縮空気は、供給圧力を構成する。
【００２５】
図４は、上記構造を有する粘性流体塗布装置の動作の概略を説明するためのフローチャートである。
まず、基板検出センサーが所定の位置まで基板１４０ａが搬送されたのを検出すると共に、粘性流体塗布装置は塗布動作を開始する（ステップＳ４００）。
【００２６】
次に、Ｘ軸部１１０及びＹ軸部１２０により塗布ヘッド１００及び粘性流体供給装置１０２を所定のＸ−Ｙ位置に移動させる（ステップＳ４１０）。これは、Ｙ軸部１２０により塗布ヘッド１００及び粘性流体供給装置１０２を所定のＹ位置に移動させ、かつＸ軸部１１０により塗布ヘッド１００を所定のＸ位置に移動させることによりおこなわれる。
【００２７】
次に、Ｚ軸部１３０により塗布ヘッド１００を所定の高さまで下降させる（ステップＳ４２０）。
次に、塗布ヘッド１００により基板１４０ａに粘性流体を塗布させる（ステップＳ４３０）。
【００２８】
次に、Ｚ軸部１３０により塗布ヘッド１００を所定の高さまで上昇させる（ステップＳ４４０）。
最後に、基板検出センサーが所定の位置に基板１４０ａが無く、搬出されたのを検出すると共に、粘性流体塗布装置は塗布動作を終了する（ステップＳ４５０）。
【００２９】
図５は、ピストン３３４を通じてカートリッジ３３０内の粘性流体に加わる力の変化を示す図である。
粘性流体塗布装置が塗布動作を開始する前に、ピストン３３４を通じてカートリッジ３３０内の粘性流体に継続的な一定の力をかけ始めるタイミングと、所定の時間経過後、その力が一旦、開放され、さらにピストン３３４を通じてカートリッジ３３０内の粘性流体にパルス状の力をかけ始めるタイミングとを示す。このとき、継続的な一定の力は、切替えバルブ３３１によりカートリッジ３３０をエアー供給源３３２に連通させ、大気圧よりも大きい圧力の圧縮空気が常にピストン３３４を通じてカートリッジ３３０内の粘性流体に供給されるようにすることで発生し、パルス状の力は、切替えバルブ３３１による切替えを所定の時間間隔、例えば２ｓｅｃで繰り返し、所定の時間間隔で圧力が変化する断続的な一定の圧縮空気、つまり、圧力が上昇・下降を繰り返す圧縮空気がピストン３３４を通じてカートリッジ３３０内の粘性流体に供給されるようにすることで発生する。
【００３０】
上記パルス状の力をかけ始める動作は、基板検出センサーによって検出される以下の結果に基づいて実行される。例えば、基板に粘性流体が塗布されるステージ及びそのステージの手前にある所定の位置に、次に塗布されるべき基板が何らかのトラブルによって制御された時間内に搬入されないという結果が得られた場合、あるいは、粘性流体の塗布が終了された基板が何らかのトラブルによって制御された時間内に搬出されないという結果が得られた場合等においては、ピストン３３４を通じてカートリッジ３３０内の粘性流体に供給されている継続的な一定の圧縮空気が開放された後、継続的な一定の圧縮空気が供給され、ピストン３３４が上下動されて、粘性流体の粘度上昇を防止する。
【００３１】
しかし、正常時間内に基板の搬入・搬出が行われたとしても、基板の搬入・搬出に要する時間が粘性流体の粘性度を上昇させる程度の時間であり、基板が搬入されたのを検出してから制御された時間を経過しても搬出されなければ、ピストン３３４を通じてカートリッジ３３０内の粘性流体に供給されている継続的な一定の圧縮空気は開放された後、継続的な一定の圧縮空気が供給され、ピストン３３４が上下動されて、粘性流体の粘度上昇を防止する。
【００３２】
すなわち、塗布ヘッド１００が基板１４０ａに粘性流体を塗布していない時間、つまり塗布ヘッド１００が実際に塗布動作を行っていない時間が長くなり、粘性流体の粘性度が塗布動作を行うのに支障が起こる程度に上昇する場合には、上記動作が実行されることにより、カートリッジ３３０及びピストン３３４は弾性部材であるためカートリッジ３３０の内容積及びピストン３３４の形状は常時変化することとなるので、カートリッジ３３０内の粘性流体に常時動きが与えられ、再度、ピストン３３４を通じてカートリッジ３３０内の粘性流体に継続的な一定の圧縮空気が供給されるまでの間における粘性流体の粘度上昇が防止される。特に粘性流体が封止剤である場合には、封止剤が高い分子間引力を有する高分子材料であるフィラーを含み、粘度が高くなり易いため、粘性流体が封止剤である場合に大きな効果を発揮する。
【００３３】
例えば、粘性流体がシリコンから構成される封止剤である場合には、約２〜３分間、塗布ヘッドにより塗布動作が行われず、粘性流体に動きが与えられないと、粘性流体の粘度上昇による固化が始まるが、塗布動作が行われていない間に約１〜３０回／ｍｉｎの切替えバルブによる切替えが行われると、粘性流体の粘度上昇は防止され、固化が防止される。
【００３４】
図６は、塗布ヘッド１００による粘性流体の塗布（図４のステップＳ４３０における粘性流体の塗布）を説明するためのタイミングチャートである。なお、図６（ａ）は供給コック３４１の開閉タイミングを示し、図６（ｂ）は吐出用シャフト３２０の回転タイミングを示し、図６（ｃ）はノズル３１０からの粘性流体の吐出タイミングを示している。
【００３５】
まず、供給コック３４１を開いて、粘性流体を塗布ヘッド１００に供給させる（ｔ＝ｔ0）。
次に、スクリュー部３２１を回転させて、粘性流体をノズル３１０から吐出させる（ｔ＝ｔ1）。
【００３６】
次に、供給コック３４１を閉じて、塗布ヘッド１００への粘性流体の供給を停止させる（ｔ＝ｔ2）。
最後に、スクリュー部３２１の回転を停止させて、ノズル３１０からの粘性流体の吐出を停止させる（ｔ＝ｔ3）。
【００３７】
以下、本実施の形態の粘性流体供給装置の作用について説明する。
図７（ａ）は、塗布動作および基板の搬入・搬出が行われない時などにおいて、ピストン３３４を通じてカートリッジ３３０内の粘性流体に供給されている継続的な一定の圧縮空気が開放されずに供給され続けられていた時の時間の経過、あるいは、開放された状態で放置されていた時の時間の経過と、それらの状況下におけるピストン３３４とカートリッジ３３０との隙間に存在する粘性流体（図３におけるＡ部の粘性流体）の粘度の変化との関係を示している。図７（ｂ）は、ピストン３３４を通じてカートリッジ３３０内の粘性流体に供給されている継続的な一定の圧縮空気が開放された後、圧縮空気が断続的に供給された時の時間の経過と、ピストン３３４とカートリッジ３３０との隙間に存在する粘性流体（図３におけるＡ部の粘性流体）の粘度の変化との関係を示す図である。
【００３８】
また、図８は、塗布動作を再開させてからの塗布回数と、そのときの塗布量との関係を示す図である。なお、図７（ａ）及び図８（ａ）は（１）基板に粘性流体が塗布されるステージ及びそのステージの手前にある所定の位置に、次に塗布されるべき基板が何らかのトラブルによって制御された時間内に搬入されない場合と、粘性流体の塗布が終了された基板が何らかのトラブルによって制御された時間内に搬出されない場合等において、あるいは、（２）正常時間内に基板の搬入・搬出は行われたが、基板の搬入・搬出が完了するまでに粘性流体の粘性度が上昇してしまう程度の時間を要する場合において、ピストン３３４を通じてカートリッジ３３０内の粘性流体に供給されている継続的な一定の圧縮空気が開放されずに供給され続けられていた、あるいは、開放された状態で放置されていた時の粘性流体の粘性度上昇経過を示す図である。また、図７（ｂ）及び図８（ｂ）は上記（１）及び（２）条件下において、ピストン３３４を通じてカートリッジ３３０内の粘性流体に供給されている継続的な一定の圧縮空気が一旦、開放され、その後、圧縮空気が断続的にカートリッジ３３０内の粘性流体に供給された場合におけるものである。また、図８において、「●」、「○」、「△」、「□」及び「◇」はそれぞれピストン３３４を通じてカートリッジ３３０内の粘性流体に供給されている継続的な一定の圧縮空気が開放されてから、再度、同様の条件の圧縮空気がその粘性流体に供給されるまでに要した時間が０、５、１０、３０及び６０ｍｉｎであることを示している。
【００３９】
図７（ａ）、図８（ａ）から、ピストン３３４を通じてカートリッジ３３０内の粘性流体にかけられている継続的な一定の圧縮空気が開放されてから、再度、ピストン３３４を通じてカートリッジ３３０内の粘性流体に同様の条件の圧縮空気が供給されるまでに圧縮空気が断続的に供給されないと、粘性流体の特性上、ピストン３３４とカートリッジ３３０との隙間に存在する粘性流体の粘度が高くなり、塗布量のばらつきが大きくなっていくのがわかる。一方、図７（ｂ）、図８（ｂ）から、ピストン３３４を通じてカートリッジ３３０内の粘性流体に供給されている継続的な一定の圧縮空気が開放されてから、再度、同様の条件の圧縮空気がその粘性流体に供給されるまでに圧縮空気が断続的に供給されると、ピストン３３４とカートリッジ３３０との隙間の粘性流体の粘度がほとんど高くならず、塗布量のばらつきがほとんど無くなっているのがわかる。これは、ピストン３３４とカートリッジ３３０との隙間の粘性流体（図３におけるＡ部の粘性流体）の粘度上昇を防止したことに大きく起因していると考えられる。すなわち、ピストン３３４とカートリッジ３３０との隙間の粘性流体の粘度が高くなると、ピストン３３４が下降に際して大きな抵抗を受け、塗布ヘッドへの粘性流体の供給量が変化するからである。
【００４０】
以上のように、本実施の形態の粘性流体塗布装置によれば、粘性流体供給装置１０２は、ピストン３３４を通じてカートリッジ３３０内の粘性流体に供給されている継続的な一定の圧縮空気が開放されてから、再度、同様の条件の圧縮空気がその粘性流体に供給されるまでにおける、カートリッジ３３０内の粘性流体の粘度上昇を単純な構造で防止する。すなわち、図９の粘性流体供給装置のように、スクリュー部及び駆動モータを設けることなく、ピストン３３４とカートリッジ３３０とを利用してカートリッジ３３０内の粘性流体の粘度上昇を防止するので、本実施の形態の粘性流体塗布装置は、高精度での粘性流体の塗布量制御を可能にする簡素な構造の粘性流体供給装置を実現することができる。
【００４１】
以上、本発明に係る粘性流体塗布装置について実施の形態に基づいて説明したが、本発明は、この実施の形態に限定されるものではなく、本発明の範囲を逸脱することなく種々の変形または修正が可能であることはいうまでもない。
【００４２】
例えば、本実施の形態の粘性流体塗布装置において、切替えバルブ３３１による切り替えを繰り返して、ピストン３３４を通じてカートリッジ３３０内の粘性流体に圧縮空気を断続的に供給し、カートリッジ３３０の内容積及びピストン３３４の形状を変化させて粘性流体の粘度上昇を防止した。しかし、基板に粘性流体が塗布されるステージ及びそのステージの手前にある所定の位置に、次に塗布されるべき基板が何らかのトラブルによって制御された時間内に搬入されない場合と、粘性流体の塗布が終了された基板が何らかのトラブルによって制御された時間内に搬出されない場合等において、あるいは、正常時間内に基板の搬入・搬出は行われたが、基板の搬入・搬出が完了するまでに粘性流体の粘性度が上昇してしまう程度の時間を要する場合において、切替えバルブ３３１の代わりに圧力調節部を設けて、ピストン３３４を通じてカートリッジ３３０内の粘性流体に圧縮空気を断続的に供給し,カートリッジ３３０の内容積及びピストン３３４の形状を変化させ、粘性流体の粘度上昇を防止しても構わない。
【００４３】
また、塗布動作を終了させてから再開させるまでに１０ｍｉｎ以上の時間を要した場合、塗布動作再開後の最初の粘性流体の塗布は基板１４０ａに対しておこなわず、最初の粘性流体の塗布を捨て打ちにしても構わない。
【００４４】
また、本実施の形態では被塗布体として基板を例に挙げて説明しているが、基板以外の被塗布体に粘性流体を供給する粘性流体供給装置にも本発明は適用できる。
また、（１）基板に粘性流体が塗布されるステージ及びそのステージの手前にある所定の位置に、次に塗布されるべき基板が何らかのトラブルによって制御された所定の時間内に搬入されない場合、粘性流体の塗布が終了された基板が何らかのトラブルによって制御された所定の時間内に搬出されない場合、あるいは、（２）正常時間内に基板の搬入・搬出は行われたが、基板の搬入・搬出が完了するまでに粘性流体の粘性度が上昇してしまう程度の所定の時間を要する場合における、所定の時間は、それぞれ塗付ヘッド１００に供給される粘性流体の種類、例えば温度等の供給条件等により決定されてもよい。
【００４５】
また、本実施の形態ではパルス状の力をかけ始める動作は、基板検出センサーによって検出される結果に基づいて実行されるとした。しかし、パルス状の力をかけ始める動作は、制御部１６０によるスクリュー部３２１の回転開始及び停止の制御結果に基づいて実行されてもよい。すなわち、スクリュー部３２１に回転開始を指示するオフ信号を送信してから、制御された時間内に回転停止を指示するオフ信号を送信しない場合に、ピストン３３４を通じてカートリッジ３３０内の粘性流体に継続的な一定の圧縮空気を供給してもよい。
【産業上の利用可能性】
【００４６】
本発明は、粘性流体塗布装置及びその固化防止方法に利用でき、特に粘性流体を保持し、塗布ヘッドに供給する粘性流体塗布装置の粘性流体供給装置及びその固化防止方法等に利用することができる。
【図面の簡単な説明】
【００４７】
【図１】本発明の実施の形態の粘性流体塗布装置の外観図である。
【図２】同実施の形態の粘性流体塗布装置の構造を説明するための図である。
【図３】塗布ヘッド及び粘性流体供給装置の構造を説明するための図である。
【図４】同実施の形態の粘性流体塗布装置の塗布動作を説明するためのフローチャートである。
【図５】カートリッジ及びピストンに加わる力の変化を示す図である。
【図６】（ａ）供給コックの開閉タイミングを示す図である。（ｂ）吐出用シャフトの回転タイミングを示す図である。（ｃ）ノズルからの粘性流体の吐出タイミングを示す図である。
【図７】（ａ）塗布動作および基板の搬入・搬出が行われない時等において、ピストン３３４を通じてカートリッジ３３０内の粘性流体に供給されている継続的な一定の圧縮空気が開放されずに供給され続けられた、あるいは、開放された状態で放置されていた時間の経過と、カートリッジ内の粘性流体の粘度との関係を示す図である。（ｂ）塗布動作および基板の搬入・搬出が行われない時などにおいて、ピストン３３４を通じてカートリッジ３３０内の粘性流体に供給されている継続的な一定の圧縮空気が開放された後、圧縮空気が断続的に供給された時の時間の経過と、カートリッジ内の粘性流体の粘度との関係を示す図である。
【図８】（ａ）塗布動作を再開させてからの塗布回数と、塗布量との関係を示す図である（ｂ）塗布動作を再開させてからの塗布回数と、塗布量との関係を示す図である。
【図９】特許文献１に記載の粘性流体供給装置の構造を示す断面図である。
【符号の説明】
【００４８】
１００    塗布ヘッド
１０２    粘性流体供給装置
１１０    Ｘ軸部
１２０    Ｙ軸部
１３０    Ｚ軸部
１４０    基板搬送部
１４０ａ    基板
１５０    ヘッド高さ検出センサー
１６０    制御部
３１０    ノズル
３２０    吐出用シャフト
３２１、８１０    スクリュー部
３３０    カートリッジ
３３１    切替えバルブ
３３２    エアー供給源
３３４    ピストン
３４０    供給配管
３４１    供給コック
８００    容器
８２０    駆動モータ
８３０    供給口
【図１】
2006021160.tif 000003
【図２】
2006021160.tif 000004
【図３】
2006021160.tif 000005
【図４】
2006021160.tif 000006
【図５】
2006021160.tif 000007
【図６】
2006021160.tif 000008
【図７】
2006021160.tif 000009
【図８】
2006021160.tif 000010
【図９】
2006021160.tif 000011